(57)【要約】【課題】  折畳み式伸縮カーテンがスムーズに折畳み操作が出来るように上枠に吊設する構造の提供。【解決手段】  パネル１，１・・・を連結する１つ置きの継手２ｂ，２ｂ・・・にはアーム１０を揺動可能に取付け、該アーム先端には上枠４まで届くガイド規制部材３を取付け、上記パネル１の中立軸上方に吊車１１を取付け、該吊車１１はコ形の吊具１２の両アーム１３，１３にローラ１４，１４を対向して軸支し、上記上枠４は概略Ｉ形断面の長尺材で、中央部１７の下端には外側へ延びる走行片１８，１８を形成し、両ローラ１４，１４の表面と中央部１７との間には隙間２０，２０を介在している。【選択図】    図３
2016065425.tif 000002
【特許請求の範囲】
【請求項１】
複数枚のパネルが継手を介して連結した折畳み式伸縮カーテンを上枠に吊設する構造において、上記パネルを連結する１つ置きの継手又は継手付近にはアームを揺動可能に取付け、該アーム先端には上枠まで届くガイド規制部材を取付け、上記パネルの中立軸上方に吊車を取付け、該吊車はコ形の吊具の両アームにローラを対向して軸支し、上記上枠は概略Ｉ形断面の長尺材で、中央部の下端には外側へ延びる走行片を形成し、両ローラの表面と中央部との間には隙間を介在したことを特徴とする折畳み式伸縮カーテンの吊設構造。
【請求項２】
中央部と走行片との境界にはコーナー部を形成した請求項１記載の折畳み式伸縮カーテンの吊設構造。
【請求項３】
走行片の先端に上方へ立ち上がるガイド片を形成した請求項１記載の折畳み式伸縮カーテンの吊設構造。
【発明の詳細な説明】
【技術分野】
【０００１】
本発明は複数枚のパネルが継手を介して折畳み出来るように連結した伸縮カーテンの吊設構造に関するものである。
【背景技術】
【０００２】
図５は折畳み式扉（折畳み式伸縮カーテン）の外観図を示し、（ａ）は折畳み式伸縮カーテンが伸長して間口を閉じている場合、（ｂ）は折畳み式伸縮カーテンが折畳まれて間口を開口している場合を表している。折畳み式伸縮カーテン（イ）は複数枚のパネル（ロ）、（ロ）・・・が継手を介して連結し、上枠（ハ）、下枠（ニ）、及び両縦枠（ホ）、（ホ）を枠組みした枠体（ヘ）に装着され、折畳み式伸縮カーテン（イ）を構成する各パネル（ロ）、（ロ）・・・の上端に取付けた吊車（ト）、（ト）・・・を介して上枠（ハ）に吊設されている。
【０００３】
折畳み式伸縮カーテン（イ）の先端には引手框（チ）が連結しており、該引手框（チ）を握って折畳み式伸縮カーテン（イ）を伸縮することで、間口（ヌ）を開閉することが出来る。折畳み式伸縮カーテン（イ）を吊設して移動する上記吊車（ト）が載る上枠（ハ）はコ形断面を有し、上枠（ハ）に設けている両走行片にローラが載って転動することが出来るように成っている。
【０００４】
ところで、間口（ヌ）によっては湾曲している場合があり、湾曲した間口に装着して折畳み式伸縮カーテン（イ）を開閉する為には、上枠（ハ）も該間口（ヌ）に沿って湾曲しなくてはならない。従来のコ形断面をした上枠を曲げ成形する場合、両側に設けている一方の走行片は延ばされ、反対側の走行片は圧縮される。このように、両走行片の変形形態が異なることで、上枠のコ形断面形状は崩れてしまい、吊車（ト）の走行に支障が発生する。
【０００５】
そして、折畳み式伸縮カーテンには継手部上端から上方へ延びるガイド規制部材が取付けられ、折畳み式伸縮カーテンの折畳み操作がスムーズに行えるように成っている。すなわち、ガイド規制部材は折畳み操作時に上枠に当たって該上枠を越えて反対側へ移動しないように働く。しかし、上枠が湾曲する場合、継手上端から上方へ突出するだけのガイド規制部材では、上枠との間でコジレが発生して折畳み式伸縮カーテン（イ）はスムーズな伸縮動作が出来難くなる。
【発明の開示】
【発明が解決しようとする課題】
【０００６】
このように、湾曲した上枠に沿って移動する折畳み式伸縮カーテンには上記のごとき問題がある。本発明が解決しようとする課題はこの問題点であり、湾曲上枠に沿ってスムーズに間口の開閉を行うことが出来る折畳み式伸縮カーテンの吊設構造を提供する。
【課題を解決するための手段】
【０００７】
本発明に係る折畳み式伸縮カーテンは、複数枚のパネルが継手を介して折畳み出来るように連結し、各パネルの中立軸上方には吊車を取付けている。ここで、パネルとしての具体的な構造や材質は限定せず、上記吊車は２個のローラを備え、ローラを軸支する吊具はコ形を成し、両ローラは所定の間隔をおいて互いに対向した状態で吊具に載っている。
【０００８】
一方、上枠は従来のコ形断面ではなく概略Ｉ形断面を成し、中央部下端には走行片を両側へ張り出した形状としている。そこで、上記吊車の両ローラは中央部を間に挟み、走行片に載って転動することが出来る。そして、両ローラの表面が中央部と接触しないように隙間を形成している。例えば、中央部と走行片との境界にコーナー部を形成することで、ローラ表面が中央部に接触しないようにすることが出来る。
一方、継手部上端にはガイド規制部材を取付けているが、該継手部から外方向へアームを張り出すと共に揺動可能とし、該アーム先端にガイド規制部材を取付け、ガイド規制部材の上端は上枠まで達している。
【発明の効果】
【０００９】
本発明の折畳み式伸縮カーテンは概略Ｉ形断面の上枠に吊設されている。従って、従来のコ形断面とは異なり、湾曲するために曲げ成形してもその断面形状が崩れることはない。吊車は対を成す２個のローラを有し、Ｉ形断面の上枠の走行片には対向する両ローラが挟み込むように載置され、該吊車を介して折畳み式伸縮カーテンを吊設することが出来る。
【００１０】
そして、Ｉ形断面の上枠中央部には走行片との境界にコーナー部を形成し、該走行片に載って転動するローラの外周部がコーナー部に接することになる。従って、コーナー部を形成することでローラの正面全体が中央部表面に接して擦れることがなく、吊車は折畳み式伸縮カーテンを吊設してスムーズに移動することが出来る。また、各パネルの継手上端には外方向へアームが揺動出来るように張り出し、アーム先端にガイド規制部材を取付けており、その為に、上枠が湾曲していてもガイド規制部材は適当にその向きを変えて上枠に接し、折畳み式伸縮カーテンの開閉操作をスムーズ行うことが出来る。
【図面の簡単な説明】
【００１１】
【図１】折畳み式伸縮カーテンが伸長している場合。
【図２】折畳み式伸縮カーテンが折畳まれている場合。
【図３】折畳み式伸縮カーテンを構成するパネルの具体例。
【図４】パネルを吊設する吊車が上枠に載っている場合。
【図５】一般的な折畳み式伸縮カーテンで、（ａ）は折畳み式伸縮カーテンが伸長して間口を閉じている場合、（ｂ）は折畳み式伸縮カーテンが折畳まれて間口を開いている場合。
【発明を実施するための形態】
【００１２】
図１、図２は本発明に係る折畳み式伸縮カーテンを表し、図１は折畳み式伸縮カーテンが伸長している場合、図２は折畳み式伸縮カーテンが折畳まれている場合をそれぞれ表している。同図の１はパネル、２は継手、３はガイド規制部材をそれぞれ表わし、折畳み式伸縮カーテンは複数枚のパネル１，１・・・が継手２，２・・・を介して折畳み出来るように連結している。
【００１３】
ここで、上記継手は同図において正面側継手２aと背面側継手２ｂが交互に設けられてパネル１，１・・・を連結し、折畳み式伸縮カーテンが折畳み易いように成っている。図１に示す伸長した状態から折畳み式伸縮カーテンを折畳む場合、正面側に位置する継手2ａ，２ａ・・・は背面側へ移動し、逆に背面側に位置する継手２ｂ，２ｂ・・・は正面側へ移動することで、図２に示すように折畳まれる。
【００１４】
そして背面側継手２ｂ，２ｂ・・・にはガイド規制部材３，３・・・が取付けられ、折畳み式伸縮カーテンが正しく折畳まれるように成っている。すなわち、上記ガイド規制部材３，３・・・は継手２ｂ，２ｂ・・・から上方へ延び、上枠４の下縁よりガイド規制部材３の上端部は高くなっている。図１において、一点鎖線は上枠４を表し、上方へ延びたガイド規制部材３，３・・・が上枠４に係合することで背面側に位置する継手２ｂ，２ｂ・・・が背面側へ移動することは出来ない。
【００１５】
すなわち、図１のように伸長している折畳み式伸縮カーテンが折畳まれる場合には、ガイド規制部材３，３・・・が上枠４に当たることで継手２ｂ，２ｂ・・・は正面側へ移動するしかない。折畳まれた各パネル１，１・・・は図２に示すように上枠４に対して垂直を成して配置され、継手２ａ，２ａ・・・は背面方向へ移動し、継手２ｂ，２ｂ・・・は正面方向へ移動して折畳まれる。
【００１６】
図３はパネル１を示す具体例である。同図に示すパネル１は縦長の長方形を成し、両縦桟５，５、上桟６、及び下桟７を枠組みし、そして上桟６と下桟７との間の中間位置には中桟８を設けている。また、両縦桟５，５及び上桟６と中桟８、さらに下桟７と中桟８にて枠組みして形成された空間にはプラスチック板９，９が嵌っている。
【００１７】
パネル１の両縦桟５、５には継手２ａ，２ａ・・・及び継手２ｂ，２ｂ・・・が取着されている。そして、パネル１の上端部に取着した継手２ｂにはガイド規制部材３が取付けられている。しかし、ガイド規制部材３は継手２ｂに直接取付けられることなく、アーム１０を介して取付けている。すなわち、アーム１０は継手２ｂに揺動出来るように取着され、ガイド規制部材３は該アーム先端に取付けられて上方へ延びている。
【００１８】
アーム先端に取付けられたガイド規制部材３は、その先端（上端）は上枠４の下縁より上方へ延びている。ここで、ガイド規制部材３の具体的な構造は限定せず、同図に示すようにストレートの棒材ではなく、ローラを取付けることも出来る。そして、パネル１の中立軸上方には吊車１１が取着され、該吊車１１は上枠４に載って移動することが出来る。
【００１９】
吊車１１はコ形をした吊具１２の両アーム１３，１３にローラ１４，１４を回転自在に軸支して構成し、吊具１２の底部１５には軸１６を連結し、該軸１６はパネル１の上桟６に固定されている。吊具１２と軸１６は回転出来るように連結されており、その為にパネル１は軸１６を中心として回転して折畳まれる。
【００２０】
ところで、この吊車１１は上枠４に載って移動することが出来る。上枠４は概略Ｉ形断面を形成した長尺材であり、中央部１７の下端には外方向へ延びる走行片１８，１８を有し、この走行片１８，１８に吊車１１のローラ１４，１４が載り、走行片１８，１８に沿って移動することが出来る。そして、中央部１７と走行片１８，１８の境界にはコーナー部１９，１９が形成され、ローラ１４，１４と中央部１７との間には隙間２０，２０が介在している。
【００２１】
このようにコーナー部１９，１９を形成することで、ローラ１４，１４の表面が上枠４の中央部１７に接することはなく、吊車１１は上枠４に沿って何ら抵抗なく移動することが出来、折畳み式伸縮カーテンの開閉操作はスムーズに行われる。ただし、中央部１７とローラ表面との間に隙間を形成する手段は、上記コーナー部１９，１９に限定しない。
【００２２】
上記走行片１８，１８の張り出しを長くし、その先端に上方へ突出するガイド片を形成し、両ローラ１４，１４の外側を拘束するようにしてもよい。
そして、継手２ｂ，２ｂ・・・にはガイド規制部材３，３・・・が取付けられて上枠４に接することで該継手２ｂ，２ｂ・・・が上枠４を越えて反対側へ移動することはない。したがって、上枠４が湾曲した形状であっても折畳み式伸縮カーテンの伸縮操作はスムーズに行われる。
【符号の説明】
【００２３】
１   パネル
２   継手
３   ガイド規制部材
４   上枠
５   縦桟
６   上桟
７   下桟
８   中桟
９   プラスチック板
10   アーム
11   吊車
12   吊具
13   アーム
14   ローラ
15   底部
16   軸  
17   中央部
18   走行片
19   コーナー部
20   隙間
【図１】
2016065425.tif 000003
【図２】
2016065425.tif 000004
【図３】
2016065425.tif 000005
【図４】
2016065425.tif 000006
【図５】
2016065425.tif 000007